(57)【要約】直交周波数分割多元接続シンボルのためのサイクリック・プレフィクス持続時間が決定される、無線通信のための方法、装置、および、コンピュータ・プログラム製品が提供される。１または複数のユーザ機器から５ｋｍよりも遠くに位置する送信機に関連付けられたシンボル間干渉を低減するために、サイクリック・プレフィクス持続時間が計算される。サブキャリア間隔が決定され、シンボルのシンボル・サイズが決定される。ユーザ機器と、エンハンスト・ノードＢのうちの１または複数は、サイクリック・プレフィクス持続時間、サブキャリア間隔、およびシンボル・サイズを用いて設定される。
2015510338.tif 000002
【特許請求の範囲】
【請求項１】
無線通信の方法であって、
マルチ・メディア・ブロードキャスト・オーバ・シングル周波数ネットワーク（ＭＢＳＦＮ）エリアにおいて無線で送信されるべき直交周波数分割多元接続（ＯＦＤＭＡ）シンボルのためのサイクリック・プレフィクス（ＣＰ）持続時間を決定することと、ここで、前記サイクリック・プレフィクス持続時間は、予め定義された持続時間を超える持続時間を有する、前記ＭＢＳＦＮにおける、イボルブド・ノードＢ（ｅＮＢ）と、１または複数のユーザ機器（ＵＥ）または別のｅＮＢとの間の伝搬遅延に適合するように計算される、
前記ＭＢＳＦＮのサブキャリア間隔を決定することと、
前記ＭＢＳＦＮにおいて送信されるサブフレームに対応する送信時間インタバル（ＴＴＩ）を決定することと、
前記サイクリック・プレフィクス持続時間、前記サブキャリア間隔、および前記ＴＴＩに基づいて、前記サブフレームにおける基準信号の分布パターンを、前記ｅＮＢおよび前記ＵＥのうちの１または複数に提供することと、
を備える方法。
【請求項２】
前記分布パターンは、さらに、前記サブフレーム内の近隣の基準信号間の分離に基づく、請求項１に記載の方法。
【請求項３】
前記分布パターンを用いて、複数のｅＮＢを設定することをさらに備え、
前記ｅＮＢは、同じＭＢＳＦＮに参加する、請求項１に記載の方法。
【請求項４】
前記サイクリック・プレフィクス持続時間は、３３マイクロ秒よりも大きい、請求項１に記載の方法。
【請求項５】
前記サブキャリア間隔は７．５ｋＨｚ未満である、請求項１に記載の方法。
【請求項６】
前記サブキャリア間隔が７．５ＭＨｚ以上である場合、前記ＴＴＩは１ミリ秒である、請求項１に記載の方法。
【請求項７】
前記サブキャリア間隔が７．５ｋＨｚ未満である場合、前記ＴＴＩは１ミリ秒よりも大きい、請求項１に記載の方法。
【請求項８】
前記ＯＦＤＭＡシンボルのシンボル持続時間を決定することをさらに備え、
前記分布パターンは、さらに、前記シンボル持続時間に基づく、請求項１に記載の方法。
【請求項９】
前記シンボル持続時間を設定することは、維持可能なＦＦＴサイズを得るために帯域幅を縮小することを含む、請求項８に記載の方法。
【請求項１０】
無線通信のための装置であって、
マルチ・メディア・ブロードキャスト・オーバ・シングル周波数ネットワーク（ＭＢＳＦＮ）エリアにおいて無線で送信されるべき直交周波数分割多元接続（ＯＦＤＭＡ）シンボルのためのサイクリック・プレフィクス（ＣＰ）持続時間を決定する手段と、ここで、前記サイクリック・プレフィクス持続時間は、予め定義された持続時間を超える持続時間を有する、前記ＭＢＳＦＮにおける、イボルブド・ノードＢ（ｅＮＢ）と、１または複数のユーザ機器（ＵＥ）または別のｅＮＢとの間の伝搬遅延に関連付けられたシンボル間干渉を低減するように計算される、
前記ＭＢＳＦＮのサブキャリア間隔を決定する手段と、
前記ＭＢＳＦＮにおいて送信されるサブフレームに対応する送信時間インタバル（ＴＴＩ）を決定する手段と、
前記サイクリック・プレフィクス持続時間、前記サブキャリア間隔、および前記ＴＴＩに基づいて、前記サブフレームにおける基準信号の分布パターンを、前記ｅＮＢおよび前記ＵＥのうちの１または複数に提供する手段と、
を備える装置。
【請求項１１】
前記分布パターンは、さらに、前記サブフレーム内の近隣の基準信号間の分離に基づく、請求項１０に記載の装置。
【請求項１２】
前記分布パターンを用いて、複数のｅＮＢを設定する手段をさらに備え、
前記ｅＮＢは、同じＭＢＳＦＮに参加する、請求項１０に記載の装置。
【請求項１３】
前記サイクリック・プレフィクス持続時間は、３３マイクロ秒よりも大きい、請求項１０に記載の装置。
【請求項１４】
前記サブキャリア間隔は７．５ｋＨｚ未満である、請求項１０に記載の装置。
【請求項１５】
前記サブキャリア間隔が７．５ＭＨｚ以上である場合、前記送信時間インタバル（ＴＴＩ）は１ミリ秒である、請求項１０に記載の装置。
【請求項１６】
前記サブキャリア間隔が７．５ｋＨｚ未満である場合、前記ＴＴＩは１ミリ秒よりも大きい、請求項１０に記載の装置。
【請求項１７】
前記ＯＦＤＭＡシンボルのシンボル持続時間を決定する手段をさらに備え、
前記分布パターンは、さらに、前記シンボル・サイズに基づく、請求項１０に記載の装置。
【請求項１８】
前記シンボル持続時間を決定する手段は、維持可能なＦＦＴサイズを得るために帯域幅を縮小させる、請求項１７に記載の装置。
【請求項１９】
無線通信のための装置であって、
マルチ・メディア・ブロードキャスト・オーバ・シングル周波数ネットワーク（ＭＢＳＦＮ）エリアにおいて無線で送信されるべき直交周波数分割多元接続（ＯＦＤＭＡ）シンボルのためのサイクリック・プレフィクス（ＣＰ）持続時間を決定し、ここで、前記サイクリック・プレフィクス持続時間は、予め定義された持続時間を超える持続時間を有する、前記ＭＢＳＦＮにおける、イボルブド・ノードＢ（ｅＮＢ）と、１または複数のユーザ機器（ＵＥ）または別のｅＮＢとの間の伝搬遅延に関連付けられたシンボル間干渉を低減するように計算される、
前記ＭＢＳＦＮのサブキャリア間隔を決定し、
前記ＭＢＳＦＮにおいて送信されるサブフレームに対応する送信時間インタバル（ＴＴＩ）を決定し、
前記サイクリック・プレフィクス持続時間、前記サブキャリア間隔、および前記ＴＴＩに基づいて、前記サブフレームにおける基準信号の分布パターンを、前記ｅＮＢおよび前記ＵＥのうちの１または複数に提供する、
ように構成された処理システム、を備える装置。
【請求項２０】
前記分布パターンは、さらに、前記サブフレーム内の近隣の基準信号間の分離に基づく、請求項１９に記載の装置。
【請求項２１】
前記処理システムは、前記分布パターンを用いて、複数のｅＮＢを設定するように構成され、
前記ｅＮＢは、同じＭＢＳＦＮに参加する、請求項１９に記載の装置。
【請求項２２】
前記サイクリック・プレフィクス持続時間は、３３マイクロ秒よりも大きい、請求項１９に記載の装置。
【請求項２３】
前記サブキャリア間隔は７．５ｋＨｚ未満である、請求項１９に記載の装置。
【請求項２４】
前記サブキャリア間隔が７．５ＭＨｚ以上である場合、前記ＴＴＩは１ミリ秒である、請求項１９に記載の装置。
【請求項２５】
前記サブキャリア間隔が７．５ｋＨｚ未満である場合、前記ＴＴＩは１ミリ秒よりも大きい、請求項１９に記載の装置。
【請求項２６】
前記処理システムは、前記ＯＦＤＭＡシンボルのシンボル持続時間を決定するように構成され、
前記分布パターンは、さらに、前記シンボル持続時間に基づく、請求項１９に記載の装置。
【請求項２７】
前記シンボル持続時間は、維持可能なＦＦＴサイズを得るために帯域幅を縮小することによって設定される、請求項２６に記載の装置。
【請求項２８】
コンピュータ・プログラム製品であって、
マルチ・メディア・ブロードキャスト・オーバ・シングル周波数ネットワーク（ＭＢＳＦＮ）エリアにおいて無線で送信されるべき直交周波数分割多元接続（ＯＦＤＭＡ）シンボルのためのサイクリック・プレフィクス（ＣＰ）持続時間を決定することと、ここで、前記サイクリック・プレフィクス持続時間は、予め定義された持続時間を超える持続時間を有する、前記ＭＢＳＦＮにおける、イボルブド・ノードＢ（ｅＮＢ）と、１または複数のユーザ機器（ＵＥ）または別のｅＮＢとの間の伝搬遅延に関連付けられたシンボル間干渉を低減するように計算される、
前記ＭＢＳＦＮのサブキャリア間隔を決定することと、
前記ＭＢＳＦＮにおいて送信されるサブフレームに対応する送信時間インタバル（ＴＴＩ）を決定することと、
前記サイクリック・プレフィクス持続時間、前記サブキャリア間隔、および前記ＴＴＩに基づいて、前記サブフレームにおける基準信号の分布パターンを、前記ｅＮＢおよび前記ＵＥのうちの１または複数に提供することと、
のためのコードを備えるコンピュータ読取可能な媒体を備える、コンピュータ・プログラム製品。
【請求項２９】
無線通信の方法であって、
マルチメディア・ブロードキャスト・オーバ・シングル周波数ネットワーク（ＭＢＳＦＮ）において無線で送信されるべきサブフレームの設定情報を決定することと、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記ＭＢＳＦＮにおける少なくとも１つのユーザ機器（ＵＥ）へ前記分布パターンを送信することと、
前記分布パターンにしたがって、前記ＵＥへ、少なくとも１つのサブフレームを送信することと、
を備える方法。
【請求項３０】
前記サイクリック・プレフィクス持続時間は、予め定義された持続時間を超える持続時間を有するイボルブド・ノードＢ（ｅＮＢ）と前記ＵＥとの間の伝搬遅延に適合するように計算される、請求項２９に記載の方法。
【請求項３１】
前記分布パターンは、さらに、前記サブフレーム内の近隣の基準信号間の分離に基づく、請求項２９に記載の方法。
【請求項３２】
無線通信のための装置であって、
マルチメディア・ブロードキャスト・オーバ・シングル周波数ネットワーク（ＭＢＳＦＮ）において無線で送信されるべきサブフレームの設定情報を決定する手段と、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記ＭＢＳＦＮにおける少なくとも１つのユーザ機器（ＵＥ）へ前記分布パターンを送信する手段と、
前記分布パターンにしたがって、前記ＵＥへ、少なくとも１つのサブフレームを送信する手段と、
を備える装置。
【請求項３３】
前記サイクリック・プレフィクス持続時間は、予め定義された持続時間を超える持続時間を有するイボルブド・ノードＢ（ｅＮＢ）と前記ＵＥとの間の伝搬遅延に適合するように計算される、請求項３２に記載の装置。
【請求項３４】
前記分布パターンは、さらに、前記サブフレーム内の近隣の基準信号間の分離に基づく、請求項３２に記載の装置。
【請求項３５】
無線通信のための装置であって、
マルチメディア・ブロードキャスト・オーバ・シングル周波数ネットワーク（ＭＢＳＦＮ）において無線で送信されるべきサブフレームの設定情報を決定し、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記ＭＢＳＦＮにおける少なくとも１つのユーザ機器（ＵＥ）へ前記分布パターンを送信し、
前記分布パターンにしたがって、前記ＵＥへ、少なくとも１つのサブフレームを送信する、
ように構成された処理システム、を備える装置。
【請求項３６】
前記サイクリック・プレフィクス持続時間は、予め定義された持続時間を超える持続時間を有するイボルブド・ノードＢ（ｅＮＢ）と前記ＵＥとの間の伝搬遅延に適合するように計算される、請求項３５に記載の装置。
【請求項３７】
前記分布パターンは、さらに、前記サブフレーム内の近隣の基準信号間の分離に基づく、請求項３５に記載の装置。
【請求項３８】
コンピュータ・プログラム製品であって、
マルチメディア・ブロードキャスト・オーバ・シングル周波数ネットワーク（ＭＢＳＦＮ）において無線で送信されるべきサブフレームの設定情報を決定することと、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記ＭＢＳＦＮにおける少なくとも１つのユーザ機器（ＵＥ）へ前記分布パターンを送信することと、
前記分布パターンにしたがって、前記ＵＥへ、少なくとも１つのサブフレームを送信することと、
のためのコードを備えるコンピュータ読取可能な媒体、を備えるコンピュータ・プログラム製品。
【請求項３９】
無線通信の方法であって、
マルチメディア・ブロードキャスト・オーバ・シングル周波数ネットワーク（ＭＢＳＦＮ）において無線で送信されるべきサブフレームの設定情報を決定することと、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記分布パターンにしたがって、少なくとも１つのサブフレームを受信することと、
を備える方法。
【請求項４０】
前記分布パターンは、さらに、前記サブフレーム内の近隣の基準信号間の分離に基づく、請求項３９に記載の方法。
【請求項４１】
無線通信のための装置であって、
マルチメディア・ブロードキャスト・オーバ・シングル周波数ネットワーク（ＭＢＳＦＮ）において無線で送信されるべきサブフレームの設定情報を決定する手段と、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記分布パターンにしたがって、少なくとも１つのサブフレームを受信する手段と、
を備える装置。
【請求項４２】
前記分布パターンは、さらに、前記サブフレーム内の近隣の基準信号間の分離に基づく、請求項４１に記載の装置。
【請求項４３】
無線通信のための装置であって、
マルチメディア・ブロードキャスト・オーバ・シングル周波数ネットワーク（ＭＢＳＦＮ）において無線で送信されるべきサブフレームの設定情報を決定し、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記分布パターンにしたがって、少なくとも１つのサブフレームを受信する、
ように構成された処理システム、
を備える装置。
【請求項４４】
前記分布パターンは、さらに、前記サブフレーム内の近隣の基準信号間の分離に基づく、請求項４３に記載の装置。
【請求項４５】
コンピュータ・プログラム製品であって、
マルチメディア・ブロードキャスト・オーバ・シングル周波数ネットワーク（ＭＢＳＦＮ）において無線で送信されるべきサブフレームの設定情報を決定することと、ここで、前記設定情報は、前記サブフレームにおける基準信号の分布パターンを定義し、前記分布パターンは、前記ＭＢＳＦＮにおいて無線で送信されるべき直交周波数分割多元接続（ＯＦＤＭＡ）シンボルのサイクリック・プレフィクス持続時間、前記ＭＢＳＦＮのサブキャリア間隔、および、前記サブフレームに対応する送信時間インタバル（ＴＴＩ）に基づく、
前記分布パターンにしたがって、少なくとも１つのサブフレームを受信することと、
のためのコードを備えるコンピュータ読取可能な媒体を備える、コンピュータ・プログラム製品。
【発明の詳細な説明】
【関連出願に対する相互参照】
【０００１】
本願は、「高い送信電力のイボルブド・マルチメディア・ブロードキャスト・マルチキャスト・サービスにおけるサイクリック・プレフィクス」（Cyclic Prefix In Evolved Multimedia Broadcast Multicast Service With High TX Power）と題され、２０１２年１月３０日に出願された米国仮出願６１／５９２，５８２号の利益を要求する。また、「高い送信電力のイボルブド・マルチメディア・ブロードキャスト・マルチキャスト・サービスにおけるサイクリック・プレフィクス」（Cyclic Prefix In Evolved Multimedia Broadcast Multicast Service With High TX Power）と題され、２０１２年２月１日に出願された米国仮出願６１／５９３，８３４号と、「高い送信電力のイボルブド・マルチメディア・ブロードキャスト・マルチキャスト・サービスにおけるサイクリック・プレフィクス」（Cyclic Prefix In Evolved Multimedia Broadcast Multicast Service With High TX Power）と題され、２０１３年１月２８日に出願された米国出願１３／７５２，３３２号との利益を要求する。これらは、その全体が、本明細書において参照によって明確に組み込まれている。
【技術分野】
【０００２】
本開示は、一般に、通信システムに関し、さらに詳しくは、イボルブド・マルチメディア・ブロードキャスト・マルチキャスト・サービスを備えた無線通信システムに関する。
【背景技術】
【０００３】
無線通信システムは、例えば、テレフォニ、ビデオ、データ、メッセージング、およびブロードキャストのようなさまざまなテレコミュニケーション・サービスを提供するために広く展開されている。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異なる無線デバイスが、都市、国、地域、および地球レベルにおいてでさえも通信することを可能にする共通のプロトコルを提供するために、さまざまなテレコミュニケーション規格において採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を向上すること、コストを低減すること、サービスを向上すること、新たなスペクトルを活用すること、ダウンリンク（ＤＬ）においてＯＦＤＭＡを、アップリンク（ＵＬ）においてＳＣ−ＦＤＭＡを、および複数入力複数出力（ＭＩＭＯ）アンテナ技法を用いるその他のオープン規格と良好に統合することによって、モバイル・ブロードバンド・インターネット・アクセスを良好にサポートするように設計されている。しかしながら、モバイル・ブロードバンド・アクセスに対する需要が増加し続けているので、ＬＴＥ技術におけるさらなる改良の必要性がある。好適には、これらの改善は、これらの技術を適用するその他の多元接続技術および通信規格に適用可能であるべきである。
【発明の概要】
【０００５】
本開示の態様では、方法、コンピュータ・プログラム製品、および装置が提供される。装置は、マルチ・メディア・ブロードキャスト・オーバ・シングル周波数ネットワーク（ＭＢＳＦＮ：multi-media broadcast over a single frequency network）エリアにおいて無線で送信されるべき直交周波数分割多元接続ＯＦＤＭＡシンボルのためのサイクリック・プレフィクス（ＣＰ）持続時間を決定するように構成されうる。ＣＰ持続時間は、予め定義された持続時間を超える持続時間を有する、ＭＢＳＦＮにおける、イボルブド・ノードＢ（ｅＮＢ）と、１または複数のユーザ機器（ＵＥ）または別のｅＮＢとの間の伝搬遅延に適合するように計算される。
【０００６】
本開示の態様では、装置は、ＭＢＳＦＮのサブキャリア間隔を決定し、ＭＢＳＦＮにおいて送信されるサブフレームに対応する送信時間インタバル（ＴＴＩ）を決定するように構成されうる。本開示の態様では、装置はさらに、サイクリック・プレフィクス持続時間、サブキャリア間隔、およびＴＴＩに基づいて、サブフレームにおける基準信号の分布パターンを、ｅＮＢおよびＵＥのうちの１または複数に提供する、ように構成されうる。本開示の態様では、ＯＦＤＭＡシンボルのシンボル持続時間が決定されうる。分布パターンは、シンボル持続時間に基づきうる。分布パターンは、サブフレーム内の近隣の基準信号間の分離に基づきうる。本開示の態様では、この分布パターンを用いて、複数のｅＮＢが設定されうる。ｅＮＢは、同じＭＢＳＦＮに参加しうる。本開示の態様では、サイクリック・プレフィクスの持続時間は、３３マイクロ秒を超える。サイクリック・プレフィクスの持続時間は、伝搬遅延に関連付けられたシンボル間干渉を低減するように選択されうる。サイクリック・プレフィクスは、ＭＢＳＦＮにおける第１のｅＮＢと、第２のｅＮＢおよびＵＥのうちの１または複数との間の最大伝搬経路長さに基づいて決定されうる。本開示の態様では、サブキャリア間隔は、７．５ｋＨｚ未満である。本開示の態様では、サブキャリア間隔が７．５ＭＨｚ以上である場合、ＴＴＩは１ミリ秒である。本開示の態様では、サブキャリア間隔が７．５ｋＨｚ未満である場合、ＴＴＩは１ミリ秒よりも大きい。本開示の態様では、サイクリック・プレフィクスは、最大伝搬経路長さに関連付けられたｅＮＢの送信電力に基づいて決定される。本開示の態様では、シンボル・サイズを設定することは、持続可能なＦＦＴサイズを得るために帯域幅を縮小することを含む。本開示の態様では、サブキャリア間隔およびシンボル・サイズのうちの１または複数は、予め定められたドップラ抵抗を得るように構成される。予め定められたドップラ抵抗は、ＭＢＳＦＮを横断する、移動中のＵＥの予測される最大速度に基づいて計算されうる。
【０００７】
本開示の態様では、方法、コンピュータ・プログラム製品、および装置が提供される。装置は、ＭＢＳＦＮにおいて無線で送信されるべきサブフレームの設定情報を決定する。この設定情報は、サブフレームにおける基準信号の分布パターンを定義する。分布パターンは、ＭＢＳＦＮにおいて無線で送信されるべきＯＦＤＭＡシンボルのサイクリック・プレフィクス持続時間と、ＭＢＳＦＮのサブキャリア間隔と、サブフレームに対応するＴＴＩとに基づく。装置は、ＭＢＳＦＮにおける少なくとも１つのＵＥへ分布パターンを送信する。装置は、分布パターンにしたがって、ＵＥへ少なくとも１つのサブフレームを送信する。
【０００８】
本開示の態様では、方法、コンピュータ・プログラム製品、および装置が提供される。装置は、ＭＢＳＦＮにおいて無線で送信されるべきサブフレームの設定情報を決定する。設定情報は、サブフレームにおける基準信号の分布パターンを定義する。分布パターンは、ＭＢＳＦＮにおいて無線で送信されるべきＯＦＤＭＡシンボルのサイクリック・プレフィクス持続時間と、ＭＢＳＦＮのサブキャリア間隔と、サブフレームに対応するＴＴＩとに基づく。装置は、分布パターンにしたがって、少なくとも１つのサブフレームを受信する。
【図面の簡単な説明】
【０００９】
【図１】図１は、ネットワーク・アーキテクチャの例を例示ずる図解である。
【図２】図２は、アクセス・ネットワークの例を例示する図解である。
【図３】図３は、ＬＴＥにおけるＤＬフレーム構造の例を例示する図解である。
【図４】図４は、ＬＴＥにおけるＵＬフレーム構造の例を例示する図解である。
【図５】図５は、ユーザ・プレーンおよび制御プレーンのためのラジオ・プロトコル・アーキテクチャの例を例示する図解である。
【図６】図６は、アクセス・ネットワークにおけるイボルブド・ノードＢとユーザ機器の例を例示する図解である。
【図７】図７は、マルチ・メディア・ブロードキャスト・オーバ・シングル周波数ネットワークにおけるイボルブド・マルチキャスト・ブロードキャスト・マルチメディア・サービスを例示ずる図解である。
【図８】図８は、伝播遅延拡散を例示する図解である。
【図９Ａ】図９Ａは、ＭＢＳＦＮにおける複数のｅＮＢのための伝播遅延拡散を例示するタイミング図である。
【図９Ｂ】９Ｂは、ＭＢＳＦＮにおける複数のｅＮＢのための伝播遅延拡散を例示するタイミング図である。
【図１０Ａ】図１０Ａは、拡張ＣＰが使用されるＭＢＳＦＮ基準信号送信のために使用されるリソース要素の割当を例示する図解である。
【図１０Ｂ】図１０Ｂは、拡張ＣＰが使用されるＭＢＳＦＮ基準信号送信のために使用されるリソース要素の割当を例示する図解である。
【図１１】図１１は、サブキャリア間隔が７．５ｋＨｚ未満に縮小される場合における、ＭＢＳＦＮ基準信号送信のためのリソース要素割当を例示する図解である。
【図１２】図１２は、サブキャリア間隔が７．５ｋＨｚ未満に縮小される場合における、ＭＢＳＦＮ基準信号送信のためのリソース要素割当を例示する図解である。
【図１３】図１３は、無線通信の方法のフローチャートである。
【図１４】図１４は、無線通信の方法のフローチャートを提供する。
【図１５】図１５は、処理システムを適用する装置のためのハードウェア実装の例を例示する図解である。
【図１６】図１６は、典型的な装置における異なるモジュール／手段／構成要素間のデータ・フローを例示する概念的なデータ・フロー図である。
【発明を実施するための形態】
【００１０】
添付図面に関連して以下に記載された詳細説明は、さまざまな構成の説明として意図されており、本明細書に記載されている概念が実現されうる唯一の構成を表すとは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１１】
テレコミュニケーション・システムのいくつかの態様が、さまざまな装置および方法に関して示されるだろう。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１２】
例によれば、要素、または要素の任意の部分、または要素の任意の組み合わせが、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。
【００１３】
したがって、１または複数の典型的な実施形態では、記載された機能は、ハードウェア、ソフトウェア、ファームウェア、あるいはこれらの任意の組み合わせで実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるように、ディスク（ｄｉｓｋおよびｄｉｓｃ）は、コンパクト・ディスク（ｄｉｓｃ）（ＣＤ）、レーザ・ディスク（ｄｉｓｃ）、光ディスク、デジタル・バーサタイル・ディスク（ＤＶＤ）（ｄｉｓｃ）、およびフロッピー（登録商標）ディスクを含んでおり、ここで、ｄｉｓｋは、通常、データを磁気的に再生し、ｄｉｓｃは、レーザを用いて光学的にデータを再生する。前述した組み合わせもまた、コンピュータ読取可能な媒体の範囲内に含まれるべきである。
【００１４】
図１は、ＬＴＥネットワーク・アーキテクチャ１００を例示する図解である。ＬＴＥネットワーク・アーキテクチャ１００は、イボルブド・パケット・システム（ＥＰＳ）１００と称されうる。ＥＰＳ１００は、１または複数のＵＥ１０２、イボルブドＵＭＴＳ地上ラジオ・アクセス・ネットワーク（Ｅ−ＵＴＲＡＮ）１０４、イボルブド・パケット・コア（ＥＰＣ）１１０、ホーム加入者サーバ（ＨＳＳ）１２０、およびオペレータのインターネット・プロトコル（ＩＰ）サービス１２２を含みうる。ＥＰＳは、他のアクセス・ネットワークと相互接続しうるが、簡略のために、これらエンティティ／インタフェースは図示していない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００１５】
Ｅ−ＵＴＲＡＮは、ｅＮＢ１０６および別のｅＮＢ１０８を含んでいる。ｅＮＢ１０６は、ＵＥ１０２向けのユーザ・プレーン・プロトコル終端および制御プレーン・プロトコル終端を提供する。ｅＮＢ１０６は、バックホール（例えば、Ｘ２インタフェース）を介して他のｅＮＢ１０８に接続されうる。ｅＮＢ１０６はまた、基地局、ノードＢ、アクセス・ポイント、基地トランシーバ局、ラジオ基地局、ラジオ・トランシーバ、トランシーバ機能、基本サービス・セット（ＢＳＳ）、拡張サービス・セット（ＥＳＳ）、またはその他の適切な用語として称される。ｅＮＢ１０６は、ＵＥ１０２のために、ＥＰＣ１１０にアクセス・ポイントを提供する。ＵＥ１０２の例は、セルラ電話、スマート・フォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、タブレット、またはその他任意の同様な機能のデバイスを含んでいる。ＵＥ１０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００１６】
ｅＮＢ１０６は、ＥＰＣ１１０に接続される。ＥＰＣ１１０は、モビリティ管理エンティティ（ＭＭＥ）１１２、その他のＭＭＥ１１４、サービス提供ゲートウェイ１１６、およびパケット・データ・ネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、ＰＤＮゲートウェイ１１８に接続されているサービス提供ゲートウェイ１１６を介して転送される。ＰＤＮゲートウェイ１１８は、ＵＥにＩＰアドレス割当のみならず、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含んでいる。ＭＢＭＳラジオ・アクセス・ネットワークでは、ブロードキャスト／マルチキャスト・サービス・センタ（ＢＭ−ＳＣ）１２６が、コンテンツ・プロバイダのためのポータルまたはエントリ・ポイントとして役立ち、ある認可およびその他のサービスを与えうる。ブロードキャスト／マルチキャスト管理エンティティ（ＢＭＥ）１２４は、制御シグナリングを受信、処理、および／または、転送するように構成されうる。そして、ＭＢＭＳ制御シグナリングを受信するためにｅＮＢ１０６または１０８を選択するために使用されうる。
【００１７】
図２は、ＬＴＥネットワーク・アーキテクチャにおけるアクセス・ネットワーク２００の例を例示する図解である。この例では、アクセス・ネットワーク２００は、多くのセルラ領域（セル）２０２に分割される。１または複数の低電力クラスのｅＮＢ２０８は、これらセル２０２のうちの１または複数とオーバラップするセルラ領域２１０を有しうる。低電力クラスのｅＮＢ２０８は、フェムト・セル（例えば、ホームｅＮＢ（ＨｅＮＢ））、ピコ・セル、ミクロ・セル、または遠隔ラジオ・ヘッド（ＲＲＨ）でありうる。マクロｅＮＢ２０４はおのおの、それぞれのセル２０２に割り当てられ、セル２０２内のすべてのＵＥ２０６のためにＥＰＣ１１０へアクセス・ポイントを提供するように構成されている。アクセス・ネットワーク２００のこの例では、中央コントローラは存在しないが、別の構成では、中央コントローラが使用されうる。ｅＮＢ２０４は、ラジオ・ベアラ制御、許可制御、モビリティ制御、スケジューリング、セキュリティ、および、サービス提供ゲートウェイ１１６への接続を含むすべてのラジオ関連機能を担当する。
【００１８】
アクセス・ネットワーク２００によって適用される変調および多元接続スキームは、展開されている特定のテレコミュニケーション規格に依存して変わりうる。ＬＴＥアプリケーションでは、周波数分割デュプレクス（ＴＤＤ）および時分割デュプレクス（ＴＤＤ）の両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、およびＯＦＤＭＡを適用するイボルブドＵＴＲＡ（Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００１９】
ｅＮＢ２０４は、ＭＩＭＯ技術をサポートする複数のアンテナを有しうる。ＭＩＭＯ技術を使用することにより、ｅＮＢ２０４は、空間多重化、ビームフォーミング、および送信ダイバーシティをサポートするために空間領域を活用できるようになる。空間多重化は、同じ周波数で、異なるデータ・ストリームを同時に送信するために使用されうる。データ・ストリームは、データ・レートを増加させるために単一のＵＥ２０６へ送信され、全体的なシステム容量を増加させるために、複数のＵＥ２０６へ送信されうる。これは、各データ・ストリームを空間的にプリコードし（すなわち、振幅およびフェーズのスケーリングを適用し）、空間的にプリコードされた各ストリームを、複数の送信アンテナを介してＤＬで送信することによって達成される。この空間的にプリコードされたデータ・ストリームは、異なる空間シグニチャを持つＵＥ（単数または複数）２０６に到着する。これによって、ＵＥ（単数または複数）２０６のおのおのは、ＵＥ２０６のために指定された１または複数のデータ・ストリームを復元できるようになる。ＵＬでは、おのおののＵＥ２０６が、空間的にプリコードされたデータ・ストリームを送信する。これによって、ｅＮＢ２０４は、空間的にプリコードされた各データ・ストリームのソースを識別できるようになる。
【００２０】
チャネル条件が良好な場合、一般に空間多重化が使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部における良好な有効通信範囲を達成するために、単一のストリーム・ビームフォーミング送信が、送信ダイバーシティと組み合わされて使用されうる。
【００２１】
以下の詳細記載では、アクセス・ネットワークのさまざまな態様が、ＤＬでＯＦＤＭをサポートするＭＩＭＯシステムを参照して説明されるだろう。ＯＦＤＭは、ＯＦＤＭＡシンボル内の多くのサブキャリアでデータを変調するスペクトル拡散技法である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルに、例えばＣＰのようなガード・インタバルが追加されうる。ＵＬは、高いピーク対平均電力比（ＰＡＲＲ）を補償するために、ＤＦＴ拡散ＯＦＤＭ信号の形態でＳＣ−ＦＤＭＡを使用しうる。
【００２２】
図３は、ＬＴＥ内のＤＬフレーム構造の例を例示する図解である。フレーム（１０ミリ秒）は、等しいサイズの１０のサブフレームに分割されうる。おのおののサブフレームは、２つの連続する時間スロットを含みうる。おのおのがリソース・ブロックを含む２つの時間スロットを表すために、リソース・グリッドが使用されうる。リソース・グリッドは、複数のリソース要素に分割される。ＬＴＥでは、リソース・ブロックは、周波数領域内に１２の連続したサブキャリアを含み、各ＯＦＤＭＡシンボル内の通常ＣＰについて、時間領域内に７つの連続したＯＦＤＭＡシンボルを含み、すなわち、８４のリソース要素を含みうる。拡張ＣＰの場合、リソース・ブロックは、時間領域内に６つの連続したＯＦＤＭＡシンボルを含んでおり、７２のリソース要素を有する。Ｒ３０２，３０４として示されるような、リソース要素のいくつかは、ＤＬ基準信号（ＤＬ−ＲＳ）を含む。ＤＬ−ＲＳは、（しばしば、共通ＲＳとも称される）セル特有のＲＳ（ＣＲＳ）３０２と、ＵＥ特有のＲＳ（ＵＥ−ＲＳ）３０４とを含んでいる。ＵＥ−ＲＳ３０４は、対応する物理ＤＬ共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００２３】
図４は、ＬＴＥにおけるＵＬフレーム構造の例を例示する図解４００である。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。このＵＬフレーム構造の結果、データ・セクションは、連続するサブキャリアを含むようになる。これによって、データ・セクションにおいて連続するサブキャリアのすべてが単一のＵＥに割り当てられるようになる。
【００２４】
ＵＥは、制御情報をｅＮＢへ送信するために、制御セクションに、リソース・ブロック４１０ａ，４１０ｂを与えられうる。ＵＥはまた、ｅＮＢへデータを送信するために、データ・セクションにおいてリソース・ブロック４２０ａ，４２０ｂを割り当てられうる。ＵＥは、制御セクションにおいて割り当てられたリソース・ブロックで、物理ＵＬ制御チャネル（ＰＵＣＣＨ）で制御情報を送信しうる。ＵＥは、データ・セクションにおいて割り当てられたリソース・ブロックで、物理ＵＬ共有チャネル（ＰＵＳＣＨ）で、データのみ、または、データと制御情報との両方を送信しうる。ＵＬ送信は、サブフレームの両スロットにおよび、周波数を越えてホップしうる。
【００２５】
物理ランダム・アクセス・チャネル（ＰＲＡＣＨ）４３０における初期システム・アクセスの実行と、ＵＬ同期の達成とのために、リソース・ブロックのセットが使用されうる。ＰＲＡＣＨ４３０は、ランダム・シーケンスを伝送するが、どのＵＬデータ／シグナリングも伝送することができない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送されるか、少数の連続したサブフレームのシーケンスで伝送されうる。そして、ＵＥは、フレーム（１０ミリ秒）毎に１回のＰＲＡＣＨ試行しか行わないことがある。
【００２６】
図５は、ＬＴＥにおけるユーザ・プレーンおよび制御プレーンのラジオ・プロトコル・アーキテクチャの例を例示する図解である。ＵＥおよびｅＮＢのためのラジオ・プロトコル・アーキテクチャが、３つのレイヤ、すなわち、レイヤ１、レイヤ２、およびレイヤ３を用いて図示される。レイヤ１（Ｌ１レイヤ）は、最下位レイヤであり、さまざまな物理レイヤ信号処理機能を実施する。Ｌ１レイヤは、本明細書では物理レイヤ５０６と称されるだろう。レイヤ２（Ｌ２レイヤ）５０８は、物理レイヤ５０６上にあり、物理レイヤ６０６を介したＵＥとｅＮＢとの間のリンクを担当する。
【００２７】
ユーザ・プレーンでは、Ｌ２レイヤ５０８は、媒体アクセス制御（ＭＡＣ）サブレイヤ５１０、ラジオ・リンク制御（ＲＬＣ）サブレイヤ５１２、およびパケット・データ集中プロトコル（ＰＤＣＰ）サブレイヤ５１４を含んでいる。これらは、ネットワーク側のｅＮＢで終端する。図示されていないが、ＵＥは、ネットワーク側におけるＰＤＮゲートウェイ１１８で終了するネットワーク・レイヤ（例えば、ＩＰレイヤ）を含む、Ｌ２レイヤ５０８上のいくつかの上部レイヤと、（例えば、遠くのエンドＵＥ、サーバ等のような）接続の他端において終了するアプリケーション・レイヤとを有しうる。
【００２８】
ＰＤＣＰサブレイヤ５１４は、異なるラジオ・ベアラと論理チャネルとの間の多重化を提供する。ＰＤＣＰサブレイヤ５１４はまた、ラジオ送信オーバヘッドを低減するための上部レイヤ・データ・パケットのためのヘッダ圧縮、データ・パケットを暗号化することによるセキュリティ、および、ｅＮＢ間のＵＥのためのハンドオーバ・サポートを提供する。ＲＬＣサブレイヤ５１２は、上部レイヤ・データ・パケットのセグメント化および再アセンブル、喪失したデータ・パケットの再送信、および、ハイブリッド自動反復要求（ＨＡＲＱ）による順不同な受信を補償するためのデータ・パケットの並べ替えを提供する。ＭＡＣサブレイヤ５１０は、論理チャネルと伝送チャネルとの間の多重化を提供する。ＭＡＣサブレイヤ５１０はまた、１つのセル内のさまざまなラジオ・リソース（例えば、リソース・ブロック）を、ＵＥ間に割り当てることをも担当する。ＭＡＣサブレイヤ５１０はまた、ＨＡＲＱ動作をも担当する。
【００２９】
制御プレーンでは、ＵＥおよびｅＮＢのためのラジオ・プロトコル・アーキテクチャは、制御プレーンのためのヘッダ圧縮機能がないという点を除いて、物理レイヤ５０６およびＬ２レイヤ５０８のものと実質的に同じである。制御プレーンはまた、レイヤ３（Ｌ３レイヤ）にラジオ・リソース制御（ＲＲＣ）サブレイヤ５１６を含んでいる。ＲＲＣサブレイヤ５１６は、ラジオ・リソース（すなわち、ラジオ・ベアラ）を取得することと、ＲＲＣシグナリングを用いてｅＮＢとＵＥとの間に下部レイヤを設定することと、を担当する。
【００３０】
図６は、アクセス・ネットワークにおいてＵＥ６５０と通信するｅＮＢ６１０のブロック図である。ＤＬでは、コア・ネットワークからの上部レイヤ・パケットが、コントローラ／プロセッサ６７５へ提供される。コントローラ／プロセッサ６７５は、Ｌ２レイヤの機能を実現する。ＤＬでは、コントローラ／プロセッサ６７５は、さまざまな優先度判定基準に基づいて、ヘッダ圧縮、暗号化、パケット・セグメント化および並べ替え、論理チャネルと伝送チャネルとの間の多重化、および、ＵＥ６５０へのラジオ・リソース割当を提供する。さらに、コントローラ／プロセッサ６７５はまた、ＨＡＲＱ動作、喪失パケットの再送信、およびＵＥ６５０へのシグナリングを担当する。
【００３１】
送信（ＴＸ）プロセッサ６１６は、Ｌ１レイヤ（すなわち、物理レイヤ）のためのさまざまな信号処理機能を実施する。この信号処理機能は、ＵＥ６５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器６７４からのチャネル推定値は、空間処理のためのみならず、符号化および変調スキームを決定するためにも使用されうる。チャネル推定値は、ＵＥ６５０によって送信されたチャネル条件フィードバックおよび／または基準信号から導出されうる。おのおのの空間ストリームはその後、個別の送信機６１８ＴＸを介して別々のアンテナ６２０へ提供される。おのおのの送信機６１８ＴＸは、送信のために、それぞれの空間ストリームを用いてＲＦキャリアを変調する。
【００３２】
ＵＥ６５０では、おのおのの受信機６５４ＲＸが、それぞれのアンテナ６５２を介して信号を受信する。おのおのの受信機６５４ＲＸは、ＲＦキャリアへ変調された情報を復元し、この情報を、受信（ＲＸ）プロセッサ６５６へ提供する。ＲＸプロセッサ６５６は、Ｌ１レイヤのさまざまな信号処理機能を実施する。ＲＸプロセッサ６５６は、この情報に対して空間処理を実行し、ＵＥ６５０に向けられた何れかの空間ストリームを復元する。複数の空間ストリームが、ＵＥ６５０に向けられている場合、これらは、ＲＸデータ・プロセッサ６５６によって、単一のＯＦＤＭシンボル・ストリームへ結合されうる。ＲＸプロセッサ６５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ６１０によって送信された最も可能性の高い信号コンステレーション・ポイントを判定することによって復元および復調される。これら軟判定は、チャネル推定器６５８によって計算されたチャネル推定値に基づきうる。これら軟判定はその後、復号およびデインタリーブされ、物理チャネル上でｅＮＢ６１０によって送信されたオリジナルのデータ信号および制御信号が復元される。データ信号および制御信号はその後、コントローラ／プロセッサ６５９へ提供される。
【００３３】
コントローラ／プロセッサ６５９は、Ｌ２レイヤを実現する。コントローラ／プロセッサは、プログラム・コードおよびデータを格納するメモリ６６０に関連付けられうる。メモリ６６０は、コンピュータ読取可能な媒体と称されうる。ＵＬでは、制御／プロセッサ６５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク６６２へ提供される。データ・シンク６６２へは、Ｌ３処理のためにも、さまざまな制御信号が提供されうる。コントローラ／プロセッサ６５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００３４】
ＵＬでは、コントローラ／プロセッサ６５９へ上部レイヤ・パケットを提供するために、データ・ソース６６７が使用される。データ・ソース６６７は、Ｌ２レイヤ上のすべてのプロトコル・レイヤを表す。ｅノードＢ６１０によるＤＬ送信に関して記載された機能と同様に、コントローラ／プロセッサ６５９は、ヘッダ圧縮、暗号化、パケット・セグメント化および並べ替え、および、ｅＮＢ６１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ６５９はまた、ＨＡＲＱ動作、喪失パケットの再送信、およびｅＮＢ６１０へのシグナリングを担当する。
【００３５】
ｅＮＢ６１０によって送信されたフィードバックまたは基準信号から、チャネル推定器６５８によって導出されたチャネル推定値が、適切な符号化スキームおよび変調スキームを選択するために、および、空間処理を容易にするために、ＴＸプロセッサ６６８によって使用されうる。ＴＸデータ・プロセッサ６６８によって生成された空間ストリームは、個別の送信機６５４ＴＸを介して異なるアンテナ６５２に提供される。おのおのの送信機６５４ＴＸは、送信のために、それぞれの空間ストリームを用いてＲＦキャリアを変調する。
【００３６】
ＵＬ送信は、ＵＥ６５０における受信機機能に関して記載されたものと類似した方式で、ｅＮＢ６１０において処理される。おのおのの受信機６１８ＲＸは、それぞれのアンテナ６２０を介して信号を受信する。おのおのの受信機６１８ＲＸは、ＲＦキャリアへ変調された情報を復元し、この情報を、ＲＸデータ・プロセッサ６７０へ提供する。ＲＸプロセッサ６７０は、Ｌ１レイヤを実現しうる。
【００３７】
コントローラ／プロセッサ６７５は、Ｌ２レイヤを実現する。コントローラ／プロセッサ６７５は、プログラム・コードおよびデータを格納するメモリ６７６に関連付けられうる。メモリ６７６は、コンピュータ読取可能な媒体と称されうる。ＵＬでは、制御／プロセッサ６７５は、ＵＥ６５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ６７５からの上部レイヤ・パケットは、コア・ネットワークへ提供されうる。コントローラ／プロセッサ６７５はまた、ＨＡＲＱ動作をサポートするためにＡＣＫおよび／またはＮＡＣＫプロトコルを用いて、誤り検出を担当する。
【００３８】
図７は、ＭＢＳＦＮにおけるイボルブド・マルチキャスト・ブロードキャスト・マルチメディア・サービス（ｅＭＢＭＳ）を例示する図解７５０である。セル７５２’におけるｅＮＢ７５２は、第１のＭＢＳＦＮエリアを形成しうる。また、セル７５４’におけるｅＮＢ７５４は、第２のＭＢＳＦＮエリアを形成しうる。ｅＮＢ７５２，７５４は、例えば、最大で合計８つのＭＢＳＦＮエリアのような、その他のＭＢＳＦＮエリアと関連付けられうる。ＭＢＳＦＮエリア内のセルは、予約セルと称されうる。予約セルは、マルチキャスト／ブロードキャスト・コンテンツを提供しないが、セル７５２’，７５４’に対して時間同期されており、ＭＢＳＦＮエリアへの干渉を制限するために、ＭＢＳＦＮリソースにおいて、制限された電力しか有しない。ＭＢＳＦＮエリアにおける各ｅＮＢは、同期方式で、同じｅＭＢＭＳ制御情報およびデータを同期的に送信する。各エリアは、ブロードキャスト・サービス、マルチキャスト・サービス、およびユニキャスト・サービスをサポートしうる。ユニキャスト・サービスは、例えば音声コールのような、特定のユーザのために意図されたサービスである。マルチキャスト・サービスは、例えば加入者ビデオ・サービスのような、ユーザのグループによって受信されうるサービスである。ブロードキャスト・サービスは、例えばニュース・ブロードキャストのような、すべてのユーザによって受信されうるサービスである。図７に示すように、第１のＭＢＳＦＮエリアは、例えば、特定のニュース・ブロードキャストをＵＥ７７０へ提供することによって、第１のｅＭＢＭＳブロードキャスト・サービスをサポートしうる。第２のＭＢＳＦＮエリアは、例えば、ＵＥ７６０に異なるニュース・ブロードキャストを提供することによって、第２のｅＭＢＭＳブロードキャスト・サービスをサポートしうる。おのおののＭＢＳＦＮエリアは、複数の物理マルチキャスト・チャネル（ＰＭＣＨ）（例えば、１５のＰＭＣＨ）をサポートする。おのおののＰＭＣＨは、マルチキャスト・チャネル（ＭＣＨ）に対応する。おのおののＭＣＨは、複数（例えば、２９）のマルチキャスト論理チャネルを多重化しうる。おのおののＭＢＳＦＮエリアは、１つのマルチキャスト制御チャネル（ＭＣＣＨ）を有しうる。そのため、１つのＭＣＨは、１つのＭＣＣＨおよび複数のマルチキャスト・トラフィック・チャネル（ＭＴＣＨ）を多重化し、残りのＭＣＨは、複数のＭＴＣＨを多重化しうる。
【００３９】
ＯＦＤＭシンボル間干渉を抑えるためのガード・インタバルを提供し、かつ、サブキャリア間の直交性を維持するために、ＯＦＤＭシンボルの先頭にＣＰが追加される。例えば、ｅＮＢとＵＥとの間のチャネル内に複数の通信経路が存在することによってもたらされる時間分散チャネル問題によって、シンボル間干渉が生じうる。図８は、シンボル間干渉を生じさせうるシナリオ８００，８４０の例を例示する図解である。図８はまた、ＵＥ８０４において観察されるような伝播遅延の影響を例示するタイミング図８２０をも含んでいる。シナリオ８００の例は、ＵＥ８０４と通信する単一のｅＮＢ８０２に関連する。ＵＥ８０４において受信されるｅＮＢ８０２からのシンボル８２２は、直接的な伝搬経路８０８によって移動し、シンボル８２２の遅延バージョンは、例えば、ビルディングのような物体８０６における反射によって生成された、より長い、間接的な伝搬経路８１０からの遅延シンボル８２８として到着する。シンボル８２２の到着時間８３２と、遅延シンボル８２８の到着時間８３４との差が、ＣＰ持続時間未満であれば、シンボル間干渉は生じず、シンボル８２２，８２８が、ＵＥ８０４において結合されうる。図示された例では、ＣＰ８２４の持続時間は、時間８３０で終了する遅延シンボル８２８と、次のシンボル８２６との間のシンボル間干渉を阻止するために十分長い。直接的な経路８０８によるＵＥ８０４におけるシンボル８２２の到着時間８３２と、ＵＥ８０４における遅延シンボル８２８の到着時間８３４との差は、特に、間接的な経路８１０が、ｅＮＢ８０２とＵＥ８０４との間で利用可能な最も長い間接的な経路である場合、遅延拡散シナリオ８００として称されうる。間接的な経路は、ｅＮＢ８０２およびＵＥ８０４に関連付けられた遅延、および／または、最長伝搬経路長さを有しうる。
【００４０】
タイミング・チャート８２０はまた、ｅＭＢＭＳシナリオ８０４をも表しうる。このシナリオでは、ｅＮＢ８４２およびｅＮＢ８４６は、ＵＥ８４４から著しく異なる距離に位置しうるか、または、著しく異なる長さを有する１または複数の伝搬経路に沿って送信しうる。その結果、ｅＮＢ８４２，８４６それぞれによって同期方式で送信されたシンボル８２２および遅延シンボル８２８は、ＵＥ８４４に、異なる時間に到着しうる。タイミング・チャート８２０に図示されるように、ＵＥ８４４において受信される次のシンボル８２６のＣＰ８２４の持続時間の間に、遅延シンボル８２８が終了するのであれば、シンボル間干渉は回避されうる。シンボル８２２とシンボル８２８との間の遅延拡散が、ＣＰ持続時間未満であれば、異なる伝搬経路によって到着するシンボル８２２，８２８が、ＵＥ８０４において結合されうる。最短の伝搬経路（ここでは、すぐ近くのｅＮＢ８４２）によるＵＥ８４４におけるシンボル８２２の到着時間８３２と、遠くのｅＮＢ８４６からのシンボル８２８のＵＥ８４４への到着時間８３４との差は、ｅＭＢＭＳの遅延拡散シナリオ８４０と称されうる。ｅＭＢＭＳの遅延拡散シナリオ８４０は一般に、最も近いｅＮＢ８４２からの直接的な経路８０８に対応しうる、ｅＮＢ８４２または８４６と、ＵＥ８４４との間の最短の伝搬経路長さに関連付けられた到着時間８３２と、ＭＢＳＦＮエリア内の、一般に、最も遠いｅＮＢ８４６からの、最長の間接的な経路８１０に対応しうる、ｅＮＢ８４２または８４６と、ＵＥ８４４との間の最長伝搬経路長さに関連付けられた到着時間８３４と、を用いて計算される。最長伝搬経路長さはまた、より近いｅＮＢ８４２とＵＥ８４４との間に、より長い間接的な伝搬経路がある場合には、遠くのｅＮＢ８４６よりも近いｅＮＢにも関連付けられうる。
【００４１】
特に、ＭＢＳＦＮエリアが、大きな遅延拡散をもたらす大きなセルを備える場合、ＬＴＥは、通常ＣＰの代わりに、ｅＭＢＭＳのために使用されうる拡張ＣＰを規定する。拡張ＣＰの持続期間は、ＬＴＥの場合、１６．７マイクロ秒でありうる一方、通常ＣＰの持続時間は、例えば４．７マイクロ秒または５．１マイクロ秒でありうる。ｅＭＢＭＳでは、ＣＰ８２４は、ＭＢＳＦＮにおける異なるｅＮＢ８４２，８４６から受信される送信のタイミング差をカバーすることが必要とされうる。ＭＢＳＦＮにおけるＵＥ８４４は、１０乃至４０ワットの範囲の送信電力を有する近くのｅＮＢ８４２から、および、例えば８０ｋＷまたはそれ以上の高い送信電力を有し、比較的長い（例えば、最大２０キロメータ（ｋｍ）およびそれを超える長さの）ＵＥ８４２への伝搬経路長さを有する遠くのｅＮＢ８４６から、信号を受信しうる。ｅＮＢ８４２とｅＮＢ８４６との両方からの信号を結合するため、および、高い送信電力の遠くのｅＮＢ８４６とＵＥ８４４との間のより長い伝搬経路に関連するシンボル間干渉を回避するために、より長いＣＰ持続時間が使用されうる。いくつかの実施形態では、拡張ＣＰ持続時間よりも少なくとも２または３倍長いＣＰ持続時間が使用されうる。シンボルおよびＣＰを送信するために必要とされる時間のパーセンテージとしてのＣＰ持続時間は、ＣＰオーバヘッドと称されうる。いくつかの実施形態は、増加したＣＰオーバヘッドを含みうる増加したＣＰ持続時間の影響を補償するために、シンボル持続時間を増加させうる。
【００４２】
ｅＭＢＭＳでは、各ｅＮＢとＵＥとの間に複数の伝搬経路が存在し、ＭＢＳＦＮにおける異なるｅＮＢは、ＵＥからのそれぞれの距離に起因する、互いに異なる、伝搬遅延を有しうる。図９Ａおよび９Ｂは、ＭＢＳＦＮエリアにおける遅延拡散をより詳細に例示する。図９Ａおよび９Ｂは、３つのｅＮＢが、時間ｔ０において、同期方式で、同じ信号情報をＵＥへ送信する典型的なＭＢＳＦＮエリアに関する。タイミング・チャート９００に図示されるように、ｅＮＢのおのおのから、複数の信号が、ＵＥにおいて受信される。第１のｅＮＢからの第１のグループ９０２の信号がＵＥにおいて受信される。ここで、グループ９０２における最初の信号が時間ｔ１において到着する。第２のｅＮＢからの第２のグループ９０４の信号がＵＥにおいて受信される。ここで、グループ９０４における最初の信号が時間ｔ２において到着する。第３のｅＮＢからの第３のグループ９０６の信号がＵＥにおいて受信される。ここで、グループ９０６における最初の信号が時間ｔ３において到着する。各グループ９０２，９０４，９０６における信号は、異なる時間においてＵＥに到着しうる。そして、時間ｔ０と、各グループ９０２，９０４，９０６との間の経過時間ｔ１，ｔ２，ｔ３はそれぞれ、グループ９０２，９０４，９０６の最小伝搬遅延を表しうる。最小伝播遅延は、ｅＮＢとＵＥとの間の最短の伝搬経路に相当しうる。
【００４３】
タイミング・チャート９００はさらに、おのおののｅＮＢによって送信された信号が、各ｅＮＢとＵＥとの間の伝搬経路の長さの違いによって、異なる時間においてＵＥに到着しうることを例示する。信号グループ９０２について図示されるように、信号の遅延バージョンは、ｔ１＋ｘ、ｔ１＋ｙ、およびｔ１＋ｚにおいて到着しうる。ｔ１とｔ１＋ｚとの間の経過時間は、第１のｅＮＢとＵＥとの間の異なる伝搬経路に対応する、第１のｅＮＢに関連付けられた遅延拡散を表しうる。ｅＮＢとＵＥとの間の各伝搬経路は、ｅＮＢとＵＥとの間の他の伝搬経路と同じまたは異なる減衰を有しうる。
【００４４】
図示されるように、グループ９０２の最初の信号は、ＵＥに受信される（ｔ１）最初の信号である。ＵＥは、１または複数のｅＮＢから受信した１または複数の信号を統合または結合しうる。ＣＰ１の持続時間長さ未満までの、時間ｔ１に関する遅延信号は、ＵＥにおいて結合されうる。ＣＰ１は、図９ＡのＭＢＳＦＮのために定義されたＣＰである。ＣＰ１の持続時間よりも長く遅延する信号は、シンボル間干渉を引き起こしうる。グループ９０６における信号は、チャネル雑音レベルに近いレベルに減衰されたものとして図示されており、これら減衰された信号は、顕著なシンボル間干渉を引き起こすことも、ＵＥによって見られるように、ＭＳＦＮゲインに対して著しく寄与することもないことがありうる。したがって、ＣＰ１は、グループ９０２と９０６との間の相対的な伝搬遅延（すなわち、ｔ３−ｔ１）未満である持続時間を有しうる。その結果、グループ９０６の信号は、ＵＥにおいて、第１および第２のｅＮＢから受信された信号とコヒーレントに結合されないことがありうる。
【００４５】
一般に、減衰は、伝搬経路長さとともに増加する。図９Ａに図示されるように、第３のｅＮＢから受信されたグループ９０６の信号は、例示されたＭＢＳＦＮにおいて最も長い伝搬遅延を有し、また、最も減衰される。ＣＰ長さは、ＵＥにおいて受信された信号の相対的な伝搬遅延未満になるように設定されうる。この相対的な伝搬遅延は、信号の減衰が、顕著なシンボル間干渉を引き起こすことも、ＵＥにおいて見られるＭＳＦＮチャネル・ゲインに著しく寄与することも期待されていない伝搬経路長さに対応する。例えば、グループ９０６の信号は、著しく減衰され、ＣＰ１が使用される場合に、ＵＥにおいて、コヒーレントな結合から除外されうる。
【００４６】
図９Ｂは、第１、第２、および第３のｅＮＢの遅延拡散および減衰を例示する。ここでは、第３のｅＮＢ（グループ９０６’）から受信された信号の電力レベルが、第１および第２のｅＮＢから受信されたグループ９０２，９０４における少なくともいくつかの信号の電力レベルに匹敵する。受信された信号電力のこのパリティは、第１および第２のｅＮＢの電力出力に対して、第３のｅＮＢから出力された送信機電力が増加された結果でありうる。グループ９０６’における信号の増加された電力は、ＣＰ長さが、グループ９０６’における顕著な信号の伝搬遅延をカバーするのに不適切に長い場合に、顕著なシンボル間干渉を引き起こしうる。したがって、第３のｅＮＢから受信されるグループ９０６’における信号の伝搬遅延をカバーし、これによって、グループ９０６’の信号が、第１および第２のｅＮＢから受信される信号とコヒーレントに結合され、ＵＥにおいてＭＢＳＦＮゲインが提供されることを可能にするＭＢＳＦＮのために、より長いＣＰ持続時間（ＣＰ２）が設定されうる。
【００４７】
図１０Ａおよび１０Ｂは、より長いＣＰ持続時間が使用される、ＭＢＳＦＮ基準信号送信のために使用されるリソース要素の割当を例示する。図１０Ａは、１５ｋＨｚに設定されたサブキャリア間隔を有する実施形態に関する。（アンテナ・ポート４のためのＲ４リソース要素として図示された）ＭＢＳＦＮ基準信号は、およそ１６．６７マイクロ秒のＣＰ持続時間のためのサブフレーム１０００にマップされる。図１０Ｂは、７．５ｋＨｚに設定されたサブキャリア間隔を有する実施形態に関する。（アンテナ・ポート４のためのＲ４リソース要素として図示された）ＭＢＳＦＮ基準信号は、およそ３３．３３マイクロ秒の持続時間を有するＣＰのため、サブフレーム１０２０にマップされる。おのおののリソース要素Ｒ４は、ＰＭＣＨアンテナ・ポートにおいて基準信号送信のために使用される。
【００４８】
図１０Ａに図示されるように、おのおののスロットは、６つのＯＦＤＭＡシンボルを有する。サブキャリア間隔が１５ｋＨｚである場合、スロット持続時間は０．５ミリ秒である。したがって、図１０Ａに図示されるおのおののＯＦＤＭＡシンボルは、１６．６７マイクロ秒の拡張ＣＰを含む０．５／６ミリ秒、すなわち、およそ８３．３３マイクロ秒に及ぶ。図１０Ｂに図示されるように、おのおののスロットは、３つのＯＦＤＭＡシンボルを有し、Ｒ４基準信号が、スロット・フォーマット１０２０を用いて、システムのためのチャネル推定を向上するために計算されたパターンにしたがって分布される。サブキャリア間隔が７．５ｋＨｚである場合、スロット持続時間は、０．５ミリ秒である。したがって、図１０Ｂに図示されるおのおののＯＦＤＭＡシンボルは、３３．３３マイクロ秒の持続時間を有するＣＰを含む、０．５／３ミリ秒、すなわち、およそ１６６．６６マイクロ秒に及ぶ。ＣＰによって使用されるＯＦＤＭシンボル持続時間のパーセンテージとして計算されたＣＰオーバヘッドは、両方の例において２０％である。したがって、７．５ｋＨｚのサブキャリア間隔を使用した結果、ＣＰオーバヘッドを増加させることなく、１５ｋＨｚサブキャリア間隔を用いて取得されるＣＰ持続時間の２倍のＣＰ持続時間となる。
【００４９】
１５ｋＨｚ間隔を用いて取得された１６．６７マイクロ秒のＣＰ持続時間は、ＵＥから５ｋｍの距離に位置するｅＮＢに関連付けられた伝搬遅延、または、５ｋｍの距離を有するｅＮＢとＵＥとの間の伝搬経路に適合しうる。７．５ｋＨｚのサブキャリア間隔を用いることに関連して前述された３３．３３マイクロ秒のＣＰ持続時間は、ＵＥから１０ｋｍの距離に位置するｅＮＢに関連付けられた伝搬遅延、または１０ｋｍの長さを有する伝搬経路に対応する伝搬遅延に適合しうる。ＦＦＴサイズは、異なるサブキャリア間隔を有するシステムと同じ帯域幅を得るように増加されうることが認識されるだろう。例えば、７．５ｋＨｚサブキャリア間隔のために使用されるＦＦＴサイズは、１５ｋＨｚサブキャリア間隔で使用されるＦＦＴサイズの２倍でありうる。ＦＦＴサイズが増加した結果、計算の複雑さも増加しうることが認識されるだろう。
【００５０】
ＵＥは、１０ｋｍよりもはるかに遠い距離から送信しているＭＢＳＦＮ内の高電力ｅＮＢから、信号を受信しうる。高電力ｅＮＢは、８０ｋＷまたはそれ以上に設定された送信電力を有しうる。ＭＢＳＦＮエリアに、そのような高電力の送信機が存在することは、ＭＢＳＦＮにおけるｅＮＢとＵＥとの間の直接的および間接的な伝搬経路に適合するように、ＣＰ持続時間をさらに延ばす必要がありうる。一例において、ＣＰ持続時間は、６６．６７マイクロ秒に増加されうる。比較的低いＣＰオーバヘッドを維持するために、サブキャリア間隔は３．７５ｋＨｚへ縮小されうる。
【００５１】
ＦＦＴサイズが変更されないのであれば、サブキャリア間隔の縮小による結果、帯域幅が縮小されうる。帯域幅は、ＦＦＴサイズとサブキャリア間隔との積として計算されうる。ＦＦＴサイズは、所望のシステムの帯域幅を提供するために選択されうる。いくつかの実施形態では、帯域幅は、所望の最大ＦＦＴサイズを維持するために縮小され、これによって、計算複雑さが低減されうる。ＦＦＴサイズは、一般に、２の累乗の数（すなわち、ＦＦＴサイズ＝２ｎ）であり、ＦＦＴサイズの増加により、計算複雑さを、指数関数的に増加させうる。ＬＴＥは、２０４８のＦＦＴサイズを用いて、１５ｋＨｚサブキャリア間隔における２０ＭＨｚ受信能力を定義する。これは、ガード帯域が使用されていないと仮定すると、最大で３０ＭＨｚの帯域幅をもたらしうる。ガード帯域があると、使用可能な帯域幅は、例えば２０ＭＨｚのように、３０ＭＨｚよりも低くなりうる。いくつかの実施形態では、２０４８のＦＦＴサイズは、計算的に可能であると考えられうる。なぜなら、あるＬＴＥ機器は、２０４８のＦＦＴサイズを取り扱うことを要求されているからである。いくつかの実施形態では、計算的に可能なＦＦＴサイズは、２０４８のＦＦＴサイズよりも大きい場合も小さい場合もありうる。
【００５２】
サブキャリア間隔が縮小される場合、所望の帯域幅を得るためにＦＦＴサイズが調節されうる。ＦＦＴサイズは、１５ｋＨｚのサブキャリア間隔のＬＴＥのために必要な２０ＭＨｚ帯域幅を得るために使用される２０４８のＦＦＴサイズに対して２倍まで増加されうる。ＦＦＴサイズの増加の結果、計算の複雑さは、指数関数的に増加しうる。したがって、拡張ＣＰ持続時間が適用される場合、サブキャリア間隔の決定は、計算の複雑さを、帯域幅要件とバランスさせうる。
【００５３】
いくつかの実施形態は、予め定義された最大サイズ（例えば、２０４８）未満であるＦＦＴサイズを維持し、計算効率を高めるために、ｅＭＢＭＳ送信のための帯域幅を縮小する。前述されたように、ＦＦＴサイズの増加は、サブキャリア間隔が縮小し、ＣＰ持続時間が増加した場合、処理複雑さを指数関数的に増加させうる。送信帯域幅は、サブキャリアの数と、サブキャリア間隔との積として計算されうる。一例では、ガード帯域が使用されていないのであれば、６６．６６マイクロ秒のＣＰ持続時間を維持しながら、２．５ｋＨｚのサブキャリア間隔について、２０４８×２．５ｋＨｚ＝５．１２ＭＨｚのｅＭＢＭＳ送信帯域幅が、２０４８ポイントのＦＦＴサイズを用いて取得されうる。
【００５４】
図１１は、サブキャリア間隔が７．５ｋＨｚ未満に縮小される場合に、ＭＢＳＦＮ基準信号送信のために使用されるリソース要素の可能な割当を例示する。スロット内の基準信号の分布パターンは、チャネル推定を向上するように選択されうる。Ｒ４要素は、近隣のＲ４要素間の分離を最大化するように分布されうる。図１１は、１．８７５ｋＨｚに設定されたサブキャリア間隔を有する実施形態に関する。（アンテナ・ポート４のためのＲ４リソース要素として図示された）ＭＢＳＦＮ基準信号は、サブフレーム１１００にマップされる。これは、およそ６６．６７マイクロ秒のＣＰ持続時間が所望される場合に使用されうる。６６．６７マイクロ秒のＣＰ持続時間は、最大２０ｋｍの距離から送信している高電力のｅＮＢに関するシンボル間干渉からの保護を拡張しうる。ＴＴＩが、１ミリ秒のＴＴＩ持続時間に相当する場合、パターン１１００，１１０２，１１０４のおのおのが使用されうる。ＴＴＩは、サブフレーム持続時間によって決定されうる。より良好なパイロット設計に適合させるために、異なるＴＴＩ持続時間が使用されうる。サブフレーム１１００において使用されるパターンは、１２．５％ＲＳオーバヘッドを有する。サブフレーム１１０２，１１０４は、より高いＲＳ密度を有し、それにしたがって、ＲＳオーバヘッドも増加する。ＴＴＩが２ミリ秒である場合、パターン１１０６が使用されうる。２ミリ秒のＴＴＩ持続時間は、より大きなフレーム・サイズ、および、より低いＲＳオーバヘッドよりも、より良好なＲＳ分布を提供するように構成されうる。例えば、サブフレーム１１０６において使用されるパターンは、１２．５％ＲＳオーバヘッドを有する。
【００５５】
ＣＰ持続時間は、より低いＣＰオーバヘッドを維持し、かつ、チャネル推定効率を高めるために、１．８７５ｋＨｚのサブキャリア間隔を用いて１３３．３マイクロ秒へ増加され、ＴＴＩ長さが１ミリ秒から２ミリ秒へと増加しうる。ガード帯域を加えること無しでのサポート可能な最大帯域幅は、２０４８ポイントのＦＦＴサイズの場合、１．８７５ｋＨｚ×２０４８＝３．８４ＭＨｚとして計算されうる。一例において、ＬＴＥシステムは、２．２５ＭＨｚの使用可能な帯域幅を得るために、１２００のサブキャリアを用いて展開されうる。
【００５６】
図１２は、サブキャリア間隔が７．５ｋＨｚ未満に縮小された場合に、ＭＢＳＦＮ基準信号送信のために使用されるリソース要素の割当を例示する別の例を提供する。図１２に図示されるＭＢＳＦＮ基準信号を含むリソース要素分布（アンテナ・ポート４のためのＲ４リソース要素として図示されている）は、サブキャリア間隔が２．５ｋＨｚに設定される実施形態において使用されうる。サブフレーム１２２０は、およそ１００マイクロ秒のＣＰ持続時間が望まれる場合に使用されうる。１００マイクロ秒であるＣＰ持続時間は、２．５ｋＨｚのサブキャリア間隔を用いて、最大３０ｋｍの距離から送信する高電力のｅＮＢに関連するシンボル間干渉からの保護を拡大しうる。サブフレーム持続時間に対応するＴＴＩが１ミリ秒である場合、パターン１２２０，１２２２，１２２４のおのおのが使用されうる。ＴＴＩが２ミリ秒である場合、パターン１２２６が使用されうる。２ミリ秒であるＴＴＩ持続時間は、基準信号のために向上された間隔を提供するように設定されうる。パターン１２２２，１２２４は、パターン１２２０，１２２６よりも高いＲＳ密度を有し、それによって、パターン１２２０，１２２６よりも増加されたＲＳオーバヘッドを有しうる。実施形態１２２０を用いて、ガード帯域を加えること無しでサポート可能な最大の帯域幅は、２．５ｋＨｚのサブキャリア間隔の場合、２０４８ポイントのＦＦＴサイズを用いて、２．５ｋＨｚ×２０４８＝５．１２ＭＨｚとして計算されうる。１２００のサブキャリアを用いるＬＴＥシステムは、３ＭＨｚの使用可能な帯域幅を取得しうる。このケースでは、シンボル持続時間は、（１秒／２５００＋１００マイクロ秒）＝５００マイクロ秒となりうる。その結果、５００マイクロ秒のスロット持続時間が、サブフレーム毎に２つのＯＦＤＭＡシンボルを有する（図１２参照）。
【００５７】
キャリア間隔の選択は、ＭＢＳＦＮのその他の特性に基づきうる。サブキャリア間隔の減少の結果、ＵＥがｅＮＢに対して移動している場合に生じうるドップラ効果の許容性が低減しうる。ドップラ効果は、ＵＥの速度が増加すると、キャリア間隔のかなりの部分である周波数変動をもたらすので、問題になりうる。ドップラ効果は、チャネル変動を引き起こしうる。その結果、サブキャリア直交性の喪失により、サブキャリア間干渉をもたらす。キャリア周波数ｆ０（例えば、２ＧＨｚ）であり、速度ｖＵＥでｅＮＢへ向かって、または、ｅＮＢから移動しているＵＥの場合、ｆ０のドップラ拡散ｆｄｏｐｐｌｅｒは、ｆｄｏｐｐｌｅｒ＝ｖＵＥ／ｃ×ｆ０として計算されうる。ここで、ｃは光速である。チャネルのコヒーレンス時間は、ドップラ拡散の逆数に適用される係数（例えば０．１／ｆｄｏｐｐｌｅｒ）を用いて推定されうる。したがって、サブキャリア間隔を増加させることは、コヒーレンス時間を増加させる。用語「ドップラ抵抗」は、ドップラ効果に対するチャネルの許容性を称しうる。
【００５８】
１５ｋＨｚのサブキャリア間隔のドップラ抵抗は、７．５ｋＨｚのサブキャリア間隔のドップラの抵抗の２倍でありうる。７．５ｋＨｚのサブキャリア間隔の場合、チャネルは、５００マイクロ秒／３＝１６７マイクロ秒に対して一定を維持するように要求される。しかしながら、２ＧＨｚのシステムでは、ＵＥが、時速３００ｋｍでｅＮＢへ向かって、または、ｅＮＢから移動している場合、コヒーレンス時間はおよそ１８０マイクロ秒である。いくつかの高速列車は、時速３００ｋｍを超えることが知られている。
【００５９】
いくつかの実施形態は、２ＧＨｚ帯域におけるチャネルを提供しうる。これは、２．５ｋＨｚのサブキャリア間隔と５００マイクロ秒のＯＦＤＭＡシンボル長さとを用いることによって、時速１００ｋｍのＵＥにおいて維持されうる。チャネルは、ＵＥが移動中に、チャネル応答が実質的に一定を保つ場合に、維持可能であると考えられうる。一例において、２ＧＨｚ帯域において維持可能なチャネルは、１．８７５ｋＨｚのサブキャリア間隔と、６６７マイクロ秒のＯＦＤＭＡシンボル持続時間とを用いて、２ＧＨｚ帯域において、時速７５ｋｍのＵＥにおいて維持されうる。ＬＴＥは、同じキャリア内のＵＮＩＣＡＳＴとｅＭＢＭＳとの間のＦＤＭをサポートしないので、ｅＭＢＭＳが、５ＭＨｚのキャリアにわたって展開される場合、本明細書で記載された実施形態のある態様は、キャリア・アグリゲーションのために使用されうる。
【００６０】
いくつかの実施形態では、ＭＢＳＦＮのためのＣＰ持続時間の選択は、高速で移動しているＵＥと、ＭＢＳＦＮにおける遠くの高電力のｅＮＢをカバーする要求との間のバランスを考慮することを含みうる。ＭＢＳＦＮを横断するＵＥの予測される速度と、例えば、チャネル品質およびＭＢＳＦＮにわたる調和のようなその他の要因もまた考慮されうる。
【００６１】
いくつかの実施形態では、ＣＰ持続時間の選択は、ＭＢＳＦＮにおける高電力のｅＮＢの存在、および、ＣＰオーバヘッドの縮小に関連付けられた遅延拡散を優先しうる。その結果、サブキャリア間隔を縮小しうる。ＣＰオーバヘッドは、ＭＢＳＦＮにおけるＯＦＤＭＡシンボル持続時間を増加させることにより縮小されうる。帯域幅は、例えば、ＦＦＴサイズを、予め定義されたサイズ未満に維持することによって、計算効率を維持するように縮小されうる。いくつかの実施形態では、増加した帯域幅は、ＦＦＴサイズを増加させることにより、ＭＢＳＦＮにおいて達成されうる。
【００６２】
いくつかの実施形態では、帯域幅およびサブフレーム持続時間の選択は、少数である高速のＵＥに対するよりも、多数である静止またはほぼ静止しているＵＥの動作ニーズを考慮することに、より重みを割り当てうる。いくつかの実施形態では、サブキャリア間隔の縮小は、最小のドップラ抵抗を維持するために制限されうる。
【００６３】
図１３は、無線通信の方法のフローチャート１３００である。この方法は、１または複数のｅＮＢによって実行されうる。ステップ１３０２では、ｅＮＢが、ＭＢＳＦＮエリアにおいて無線で送信されるべきＯＦＤＭＡシンボルのサイクリック・プレフィクス持続時間を決定する。ここで、サイクリック・プレフィクス持続時間は、予め定義された長さを超える長さを有する伝搬経路に関連付けられたＭＢＳＦＮにおけるｅＮＢと、１または複数のＵＥまたは別のｅＮＢとの間の伝搬遅延に適合するように計算される。伝播遅延は、受信機におけるＭＢＳＦＮゲインを提供するために、顕著な電力で受信された信号が、コヒーレントに結合されることを可能にするようにＣＰ持続時間を延長することによって適合されうる。伝搬遅延を適合させることは、チャネル雑音の電力レベルを著しく上回る電力レベルで受信された遅延信号によって引き起こされるシンボル間干渉を回避するためにＣＰ持続時間を増加させることを含みうる。予め定義された持続時間は、５ｋｍを超える伝搬経路に関連付けられ、１０Ｗから４０Ｗの送信電力を有しうる、ＭＢＳＦＮにおける他のｅＮＢに比べて、増加された電力（例えば、８０ｋＷ）で、遠くから送信しているｅＮＢに関連付けられうる。ＣＰは、予期されるチャネル条件、ＵＥ配置および動き、および、高送信電力の遠くのｅＮＢの存在または不在に基づいて選択されうる。ＣＰ持続時間の例は、およそ３３．３３マイクロ秒、６６．６７マイクロ秒、１３３．３３マイクロ秒、２６６．６７マイクロ秒である持続時間、およびその他の持続時間を含みうる。サイクリック・プレフィクスは、最大伝搬経路長さに関連付けられたｅＮＢの送信電力に基づいて決定されうる。
【００６４】
ステップ１３０４では、例えば、ｅＮＢ、ＯＡＭ、またはＭＣＥのようなネットワーク・エンティティは、ＭＢＳＦＮのサブキャリア間隔を設定する。サブキャリア間隔は、７．５ＭＨｚ以下でありうる。サブキャリア間隔は、例えば３．７５ＭＨｚ，２．５ＭＨｚ，１．８７５ＭＨｚ、またはその他いくつかの間隔でありうる。ネットワーク・エンティティは、さらに、サブキャリア間隔が減少すると増加するサブフレーム長さを設定しうる。いくつかの実施形態では、ｅＮＢは、サブキャリアの数およびサブキャリア間隔に基づいてＦＦＴサイズを設定しうる。ＦＦＴサイズは、所望の最小帯域幅を得るために、および／または、計算効率化のために計算されうる。いくつかの実施形態では、計算効率化は、２０４８以下のＦＦＴサイズで達成されうる（ＵＥ実装制約が、最大ＦＦＴサイズを制限しうる）。例えば、サブキャリア間隔が、計算効率を維持する目的で縮小される場合、システムは、縮小された帯域幅を有しうる。
【００６５】
ステップ１３０６では、ネットワーク・エンティティは、ＯＦＤＭＡシンボルのシンボル持続時間を設定する。シンボル持続時間は、ＣＰ持続時間に関連付けられたオーバヘッドを縮小するために選択されうる。例えば、ＯＦＤＭＡシンボルの持続時間は、シンボル持続時間の２０％にＣＰオーバヘッドを維持するために選択されうる。シンボル持続時間は、サブキャリア間隔とＴＴＩとの組み合わせに基づいて決定されうる。サブフレーム・サイズ、サブキャリア間隔、およびシンボル持続時間のうちの１または複数は、最小のドップラ抵抗を得るように設定されうる。送信機と受信機が相対的に動いている場合、ドップラ抵抗は、キャリア信号におけるドップラ効果に対する感度の指標でありうる。いくつかの実施形態では、ｅＮＢに対して、時速１０ｋｍ、時速８０ｋｍ、および時速３００ｋｍを超える速度を有するＵＥに対しうるドップラ抵抗を増加させるために、サブキャリア間隔が増加されうる。
【００６６】
ステップ１３０８では、ネットワーク・エンティティが、ＭＢＳＦＮのためのＴＴＩ持続時間を設定する。サブキャリア間隔が縮小された場合、より高いＴＴＩ持続時間が設定されうる。例えば、サブキャリア間隔が５．５ｋＨｚ未満に縮小された場合、サブフレームにわたって改善されたＭＢＳＦＮ基準信号を可能にすることによって、ＴＴＩが２ミリ秒に設定され、効率的なチャネル推定がイネーブルされうる（図１１および１２参照）。ＴＴＩは、７．５ｋＨｚを超えるサブキャリア間隔のために、１ミリ秒に設定されうる。
【００６７】
ステップ１３１０では、ネットワーク・エンティティは、サイクリック・プレフィクス持続時間、サブキャリア間隔、およびＴＴＩに基づいて、サブフレーム内の基準信号のための分布パターンを、ｅＮＢおよびＵＥのうちの１または複数に提供しうる。分布パターンは、サブフレーム内の近隣の基準信号間の分離に基づきうる。ネットワーク・エンティティは、サイクリック・プレフィクス持続時間、サブキャリア間隔、ＯＦＤＭＡシンボル持続時間、およびＴＴＩ持続時間を用いて、ｅＮＢおよびＵＥのうちの１または複数を設定しうる。ｅＮＢは、例えば直交振幅変調またはＭＣＥのような設定および／またはパターンを、別のｅＮＢから、または、他のネットワーク機器から受信しうる。ｅＮＢは、自身を設定しうる。ネットワーク・エンティティは、ＣＰ持続時間、サブキャリア間隔、およびＯＦＤＭＡシンボル・サイズのうちの１または複数を動的に変更しうる。ｅＮＢは、ネットワークから受信された設定およびパターンを用いて、他のｅＮＢおよび／またはＵＥの設定を実行する。
【００６８】
ステップ１３１２では、ネットワーク・エンティティは、サブキャリア間隔が、７．５ＭＨｚ未満の値に設定されているか否かを判定しうる。
【００６９】
ステップ１３１４では、サブキャリア間隔が、７．５ｋＨｚ未満である場合、ネットワーク・エンティティは、オプションとして、２ミリ秒であるサブフレーム持続時間を設定しうる。
【００７０】
最後に、ステップ１３１６では、サブキャリア間隔が７．５ＭＨｚ以上である場合、ネットワーク・エンティティは、オプションとして、１ミリ秒であるサブフレーム持続時間を設定しうる。ネットワーク・エンティティは、ＣＰオーバヘッドを増加させずに、ＣＰ持続時間を２倍にするために、より長いサブフレーム持続時間を設定しうる。
【００７１】
図１４は、無線通信の方法のフローチャート１３５０，１３６０を提供する。１３５０のフローチャートでは、ステップ１３５２において、ｅＮＢが、ＭＢＳＦＮにおいて無線で送信されるべきサブフレームの設定情報を決定する。この設定情報は、サブフレームにおける基準信号の分布パターンを定義する。分布パターンは、ＭＢＳＦＮにおいて無線で送信されるべきＯＦＤＭＡシンボルのサイクリック・プレフィクス持続時間、ＭＢＳＦＮのサブキャリア間隔、および、サブフレームに対応するＴＴＩに基づく。ステップ１３５４において、ｅＮＢは、ＭＢＳＦＮにおける少なくとも１つのＵＥに、分布パターンを送信する。ステップ１３５６において、ｅＮＢは、この分布パターンにしたがって、少なくとも１つのサブフレームをＵＥへ送信する。サイクリック・プレフィクス持続時間は、予め定義された持続時間を越える持続時間を有するｅＮＢとＵＥとの間の伝搬遅延に適合するように計算されうる。分布パターンは、さらに、サブフレーム内の近隣の基準信号間の分離に基づきうる。
【００７２】
１３６０のフローチャートでは、ステップ１３６２において、ＵＥが、ＭＢＳＦＮにおいて無線で送信されるべきサブフレームの設定情報を決定する。この設定情報は、サブフレームにおける基準信号の分布パターンを定義する。分布パターンは、ＭＢＳＦＮにおいて無線で送信されるべきＯＦＤＭＡシンボルのサイクリック・プレフィクス持続時間、ＭＢＳＦＮのサブキャリア間隔、および、サブフレームに対応するＴＴＩに基づく。ステップ１３６４において、ＵＥは、この分布パターンにしたがって、少なくとも１つのサブフレームを受信する。
【００７３】
図１５は、処理システム１４１４を適用する装置１４０２のためのハードウェア実装の例を例示する図解１４００である。処理システム１４１４は、一般にバス１４２４によって表されているバス・アーキテクチャを用いて実現されうる。バス１４２４は、全体的な設計制約および処理システム１４１４の特定のアプリケーションに依存して、任意の数の相互接続バスおよびブリッジを含みうる。バス１４２４は、プロセッサ１４０４によって表される１または複数のプロセッサおよび／またはハードウェア・モジュール、モジュール１４３０，１４３２，１４３４，１４３６，１４３８、およびコンピュータ読取可能な媒体１４０６を含むさまざまな回路をともに接続する。バス１４２４はさらに、例えば、タイミング・ソース、周辺機器、電圧制御装置、および電力管理回路のようなその他さまざまな回路をリンクしうる。これらは、当該技術分野で良く知られているので、さらなる説明はしない。
【００７４】
処理システム１４１４は、トランシーバ１４１０に接続されうる。トランシーバ１４１０は、１または複数のアンテナ１４２０に接続されうる。トランシーバ１４１０は、送信媒体を介してその他さまざまな装置と通信するための手段を提供する。処理システム１４１４は、コンピュータ読取可能な媒体１４０６に接続されたプロセッサ１４０４を含む。プロセッサ１４０４は、コンピュータ読取可能な媒体１４０６に格納されたソフトウェアの実行を含む一般的な処理を担当する。ソフトウェアは、プロセッサ１４０４によって実行された場合、処理システム１４１４に対して、任意の特定の装置のために記載されたさまざまな機能を実行させる。コンピュータ読取可能な媒体１４０６はまた、ソフトウェアが実行されている場合に、プロセッサ１４０４によって操作されるデータを格納するためにも使用されうる。処理システムはさらに、モジュール１４３０，１４３２，１４３４，１４３６，１４３８を含む。これらモジュールは、プロセッサ１４０４において動作するソフトウェア・モジュールでありうるか、コンピュータ読取可能な媒体に常駐／格納されうるか、プロセッサ１４０４に接続された１または複数のハードウェア・モジュールであるか、これらのいくつかの組み合わせでありうる。処理システム１４１４は、ｅＮＢ６１０の構成要素でありうる。そして、メモリ６７６と、および／または、ＴＸプロセッサ６１６、ＲＸプロセッサ６７０、およびコントローラ／プロセッサ６７５のうちの少なくとも１つとを含みうる。
【００７５】
１つの構成では、無線通信のための装置１４０２は、ＭＢＳＦＮエリアにおいて無線で送信されるべきＯＦＤＭＡシンボルのためのサイクリック・プレフィクス持続時間を決定する手段を含む。ここで、サイクリック・プレフィクス持続時間は、予め定義された持続時間を超える持続時間を有する、ＭＢＳＦＮにおけるｅＮＢと、１または複数のＵＥまたは別のｅＮＢとの間の伝搬遅延に適合するように計算される。伝播遅延は、受信機におけるＭＢＳＦＮゲインに寄与する、顕著な電力で受信された信号を統合するために、ＣＰ持続時間を延ばすことによって適合されうる。伝搬遅延を適合させることは、チャネル雑音の電力レベルよりも著しく高い電力レベルで受信された遅延信号によって引き起こされたシンボル間干渉を回避するために、ＣＰ持続時間を増加させることを含みうる。予め定義された持続時間は、伝搬経路長さ、または、５ｋｍを超える伝搬経路長さにおける差分に関連付けられうる。一例では、ＣＰ持続時間は、１０Ｗと４０Ｗとの間の送信電力を有する、ＭＢＳＦＮにおける別のｅＮＢに対して増加された電力（例えば、８０ｋＷ）を持ち、遠くから送信しているｅＮＢに関連付けられうる。ＣＰは、予期されるチャネル条件、ＵＥ配置および動き、および、高送信電力の遠くのｅＮＢの存在または不在に基づいて選択されうる。ＣＰ持続時間の例は、およそ３３．３３マイクロ秒、６６．６７マイクロ秒、１３３．３３マイクロ秒、２６６．６７マイクロ秒である持続時間、およびその他の持続時間を含みうる。
【００７６】
装置１４０２は、ＭＢＳＦＮのためのサブキャリア間隔を決定する手段を提供しうる。サブキャリア間隔は、７．５ＭＨｚ以下でありうる。サブキャリア間隔は、例えば３．７５ＭＨｚ，２．５ＭＨｚ，１．８７５ＭＨｚ、またはその他いくつかの間隔でありうる。ＵＥは、さらに、サブキャリア間隔が減少すると増加するサブフレーム長さを設定しうる。いくつかの実施形態では、ｅＮＢは、サブキャリアの数およびサブキャリア間隔に基づいてＦＦＴサイズを設定しうる。ＦＦＴサイズは、所望の最小帯域幅を得るために、および／または、計算効率のために計算されうる。いくつかの実施形態では、計算効率化は、２０４８以下のＦＦＴサイズで達成されうる。例えば、サブキャリア間隔が、計算効率を維持する目的で縮小される場合、ＵＥは、ＦＦＴサイズを制限し、もって、縮小された帯域幅を提供しうる。
【００７７】
装置１４０２は、ＯＦＤＭＡシンボルのためのシンボル持続時間を決定する手段を提供しうる。シンボル持続時間は、ＣＰ持続時間に関連付けられたオーバヘッドを縮小するために選択されうる。例えば、ＯＦＤＭＡシンボルの持続時間は、シンボル持続時間の２０％にＣＰオーバヘッドを維持するために選択されうる。シンボル持続時間は、サブキャリア間隔とＴＴＩとの組み合わせに基づいて決定されうる。サブフレーム・サイズ、サブキャリア間隔、およびシンボル持続時間のうちの１または複数は、最小のドップラ抵抗を得るように設定されうる。送信機と受信機が相対的に動いている場合、ドップラ抵抗は、キャリア信号におけるドップラ効果に対する感度の指標でありうる。いくつかの実施形態では、サブキャリア間隔は、ドップラ抵抗を増加させるために増加されうる。ＵＥは、ｅＮＢに対して、時速１０ｋｍ、時速８０ｋｍ、および時速３００ｋｍを超える速度を有しうる。
【００７８】
装置１４０２は、ＭＢＳＦＮのためのＴＴＩ持続時間を決定する手段を提供しうる。サブキャリア間隔が縮小された場合、より高いＴＴＩ持続時間が設定されうる。例えば、サブキャリア間隔が５．５ｋＨｚ未満に縮小された場合、サブフレームにわたって改善されたＲ４分布を可能にすることによって、ＴＴＩが２ミリ秒に設定され、効率的なチャネル推定がイネーブルされうる（図１１および１２参照）。ＴＴＩは、７．５ｋＨｚを超えるサブキャリア間隔のために、１ミリ秒に設定されうる。
【００７９】
装置１４０２は、サイクリック・プレフィクス持続時間、サブキャリア間隔、ＯＦＤＭＡシンボル持続時間、およびＴＴＩ持続時間を用いて、ｅＮＢおよびＵＥのうちの１または複数を設定する手段を提供しうる。ｅＮＢは、別のｅＮＢから、または別のネットワーク機器から、設定を受信しうる。ｅＮＢは、自身を設定しうる。ｅＮＢは、ＣＰ持続時間、サブキャリア間隔、およびＯＦＤＭＡシンボル・サイズのうちの１または複数を動的に変更しうる。ｅＮＢは、ネットワークから受信された設定を用いて、他のｅＮＢおよび／またはＵＥの設定を実行する。
【００８０】
１つの構成では、装置１４０２は、ＭＢＳＦＮにおいて無線で送信されるべきサブフレームの設定情報を決定する手段を含みうる。この設定情報は、サブフレームにおける基準信号の分布パターンを定義する。分布パターンは、ＭＢＳＦＮにおいて無線で送信されるべきＯＦＤＭＡシンボルのサイクリック・プレフィクス持続時間、ＭＢＳＦＮのサブキャリア間隔、および、サブフレームに対応するＴＴＩに基づく。この装置はさらに、ＭＢＳＦＮにおける少なくとも１つのＵＥへ分布パターンを送信する手段を含みうる。この装置はさらに、この分布パターンにしたがって、少なくとも１つのサブフレームをＵＥへ送信する手段を含みうる。
【００８１】
１つの構成では、装置１４０２は、ＭＢＳＦＮにおいて無線で送信されるべきサブフレームの設定情報を決定する手段を含みうる。この設定情報は、サブフレームにおける基準信号の分布パターンを定義する。この分布パターンは、ＭＢＳＦＮにおいて無線で送信されるべきＯＦＤＭＡシンボルのサイクリック・プレフィクス持続時間、ＭＢＳＦＮのサブキャリア間隔、および、サブフレームに対応するＴＴＩに基づく。この装置はさらに、分布パターンにしたがって少なくとも１つのサブフレームを受信する手段を含みうる。
【００８２】
前述した手段は、前述した装置１４０２のモジュールのうちの１または複数、および／または、前述した手段によって記載された機能を実行するように構成された装置１４０２の処理システム１４１４でありうる。前述したように、処理システム１４１４は、ＴＸプロセッサ６１６、ＲＸプロセッサ６７０、およびコントローラ／プロセッサ６７５を含みうる。そのため、１つの構成では、前述された手段は、前述された手段によって記述された機能を実行するように構成されたＴＸプロセッサ６１６、ＲＸプロセッサ６７０、およびコントローラ／プロセッサ６７５でありうる。
【００８３】
図１６は、典型的な装置１５０２における異なるモジュール／手段／構成要素間のデータ・フローを例示する概念的なデータ・フロー図１５００である。この装置は、ｅＮＢまたはその他のネットワーク・エンティティでありうる。この装置は、ＭＢＳＦＮエリアにおいて無線で送信されるべきＯＦＤＭＡシンボルのためのサイクリック・プレフィクス持続時間を決定するモジュール１４３０と、ＭＢＳＦＮのためのサブキャリア間隔を決定するモジュール１４３２と、ＯＦＤＭシンボル・サイズを決定するモジュール１４３４と、ＭＢＳＦＮにおいて送信されるサブフレームに対応するＴＴＩを決定するモジュール１４３８と、サブフレームにおける基準信号の分布パターンを生成し、および／または、ＵＥおよびｅＮＢのうちの１または複数に提供するモジュール１４３６とを含む。これによって、モジュール１４０２は、データをフォーマットし、このデータを、ｅＮＢおよびＵＥのうちの提供された１または複数へ送信しうる。
【００８４】
この装置は、前述した図１３のフローチャートにおけるアルゴリズムのステップのおのおのを実行する追加のモジュールを含みうる。このため、前述した図１３のフローチャートのおのおののステップは、モジュールによって実行され、装置は、これらのモジュールのうちの１または複数を含みうる。これらモジュールは、前述した処理／アルゴリズムを実行するように特別に構成された１または複数のハードウェア構成要素であるか、前述した処理／アルゴリズムを実行するように構成されたプロセッサによって実行されうるか、プロセッサによる実施のためにコンピュータ読取可能な媒体内に格納されうるか、またはこれらのいくつかの組み合わせでありうる。
【００８５】
開示された処理におけるステップの特定の順序または階層は、典型的なアプローチの例示であることが理解される。設計選択に基づいて、これら処理におけるステップの具体的な順序または階層は、再構成されうることが理解される。さらに、いくつかのステップは、結合または省略されうる。同伴する方法請求項は、さまざまなステップの要素を、サンプル順で示しており、示された具体的な順序または階層に限定されないことが意味される。
【００８６】
前述した記載は、当業者が、本明細書に記載されたさまざまな態様を実現することができるように提供されている。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。請求項の要素が、「〜する手段」という文言を用いて明示的に示されていないのであれば、請求項の何れの要素も、ミーンズ・プラス・ファンクション（ｍｅａｎｓ  ｐｌｕｓ  ｆｕｎｃｔｉｏｎ）として解釈されるべきではない。
【図１】
2015510338.tif 000003
【図２】
2015510338.tif 000004
【図３】
2015510338.tif 000005
【図４】
2015510338.tif 000006
【図５】
2015510338.tif 000007
【図６】
2015510338.tif 000008
【図７】
2015510338.tif 000009
【図８】
2015510338.tif 000010
【図９Ａ】
2015510338.tif 000011
【図９Ｂ】
2015510338.tif 000012
【図１０Ａ】
2015510338.tif 000013
【図１０Ｂ】
2015510338.tif 000014
【図１１】
2015510338.tif 000015
【図１２】
2015510338.tif 000016
【図１３】
2015510338.tif 000017
【図１４】
2015510338.tif 000018
【図１５】
2015510338.tif 000019
【図１６】
2015510338.tif 000020
【国際調査報告】
2015510338.tif 000021
2015510338.tif 000022
2015510338.tif 000023